(57)【要約】      （修正有）【課題】穴開け時の屑をスムーズに排出させ、ドリルの膨張破裂を回避する効果を持つ壁用釘固着装置を提供する。【解決手段】壁用釘固着装置は、本体１０、締め付けネジ２０、ドリル３０により構成され、本体内部の中空に締め付けネジ２０を貫設し、締め付けネジ頭部にはドリル３０を嵌設し、後方を工具で駆動し、中段には本体頭部と噛合する外ネジ山２２を設け、本体外部にはネジ山部１２と変形部１３を設け、ドリル３０の後方外側には穴開け時の屑を排出させる二つの対称的な翼片３２を設ける。【選択図】図１
0003143011.tif 000002
【実用新案登録請求の範囲】
【請求項１】
プラスチック材質で作られた中空棒体で、締め付けネジを貫設するものであり、頭部の内径は締め付けネジの外ネジ山より若干小さく、後方には拡大制御エッジを設け、棒体外部にはネジ山部と変形部を設け、変形部には等分し変形用となる溝を備える本体と、
金属材質で作られ、後方に設けた外ネジ溝はドリルと螺合固着し、中段に設けた外ネジ山は本体頭部内径に噛合し、頭部に設けた駆動溝に電動ドライバー工具を嵌入して駆動させる締め付けネジと、
金属材質で作られ、後方中央に設けたネジ孔が締め付けネジ頭部と螺合固着して一体となり、後方外側に設ける等分し対称的な翼片によって穴開け時の屑をスムーズに排出させるドリルとにより構成されることを特徴とする壁用釘固着装置。
【請求項２】
締め付けネジの末端に設ける外ネジ溝のない定位部は、締め付け時の定位に用いることを特徴とする請求項１記載の壁用釘固着装置。
【考案の詳細な説明】
【技術分野】
【０００１】
本考案の提供する壁用釘固着装置は、石膏板、金属板、木板、プラスチック板、壁等に広く応用でき、特に、ドリルの穴開け時にスムーズに屑を排出する技術に改良を加えたものである。
【背景技術】
【０００２】
伝統的な公知の壁用釘を実際に操作して応用する場合、次のような少なくとも二つの解決すべき問題点と欠点が残る。
（１）ドリルでの穴開け時、スムーズに屑排出ができない。
（２）締め付けネジは、過度の締め付けにより、ドリル後方の破裂を引き起こす。
【考案の開示】
【考案が解決しようとする課題】
【０００３】
本考案は、本考案者が関連製品の製造、設計に長年従事することにより積み重ねた実務経験と理解を基に、公知の壁用釘に存在する問題点と欠点に対し、積極的に創作及び改良精神を投入し完成した壁用釘固着装置である。
【０００４】
本考案が問題解決の為に応用する第一技術手段及び従来技術との比較による効果は、ドリル後方の外側に二つの対称する翼片を設け、該翼片によって穴開け時の屑をスムーズに排出させることができる故、効果を向上させ、第一目的を達成することにある。
【０００５】
本考案が問題解決の為に応用する第二技術手段及び従来技術との比較による効果は、締め付けネジの後方に外ネジ溝のない定位部を設け、締め付けネジの外ネジ溝を締め付けた時、定位部によって定位し締め付けネジが螺入し続けるのを阻止し、ドリルの膨張破裂を回避することができる故、効果を向上させ、第二目的を達成することにある。
【課題を解決するための手段】
【０００６】
請求項１の考案は、プラスチック材質で作られた中空棒体で、締め付けネジを貫設するものであり、頭部の内径は締め付けネジの外ネジ山より若干小さく、後方には拡大制御エッジを設け、棒体外部にはネジ山部と変形部を設け、変形部には等分し変形用となる溝を備える本体と、
金属材質で作られ、後方に設けた外ネジ溝はドリルと螺合固着し、中段に設けた外ネジ山は本体頭部内径に噛合し、頭部に設けた駆動溝に電動ドライバー工具を嵌入して駆動させる締め付けネジと、
金属材質で作られ、後方中央に設けたネジ孔が締め付けネジ頭部と螺合固着して一体となり、後方外側に設ける等分し対称的な翼片によって穴開け時の屑をスムーズに排出させるドリルとにより構成されることを特徴とする壁用釘固着装置としている。
請求項２の考案は、締め付けネジの末端に設ける外ネジ溝のない定位部は、締め付け時の定位に用いることを特徴とする請求項１記載の壁用釘固着装置としている。
【考案の効果】
【０００７】
本考案の壁用釘固着装置は、穴開け時の屑をスムーズに排出させ、ドリルの膨張破裂を回避する効果を持つ。
【考案を実施するための最良の形態】
【０００８】
壁用釘固着装置について、図１に本考案の立体分解図、図２に本考案の断面組立図を示す。それは主に、本体１０と、締め付けネジ２０と、ドリル３０により構成される。
【０００９】
本体１０は、プラスチック（ナイロン）材質で作られた中空棒体で、締め付けネジ２０を貫設するものであり、本体１０頭部の内径は締め付けネジ２０の外ネジ山２２外径より若干小さく、本体１０後方には拡大制御エッジ１１を設け、本体１０外部にはネジ山部１２と変形部１３を設け、本体１０の変形部１３には等分し変形用とする溝１４を設ける。
【００１０】
締め付けネジ２０は金属（中炭素鋼）材質で作り、締め付けネジ２０の頭部に設ける駆動溝２１は電動ドライバー工具１を嵌入し駆動するのに用い、締め付けネジ２０の中段に設ける外ネジ山２２は本体１０頭部の内径と噛合し、締め付けネジ２０の後方に設けた外ネジ溝２３は、ドリル３０と螺合固着して一体となる為のもので、同時に、締め付けネジ２０の外ネジ溝２３の過度締め付けによるドリル３０の破裂を防ぐ作用があり、特別に、締め付けネジ２０の後方に外ネジ溝２３のない定位部２４を設ける。
【００１１】
ドリル３０は金属（中炭素鋼）材質で作り、ドリル３０の後方中央に設けたネジ孔３１が締め付けネジ２０の外ネジ溝２３と螺合固着して一体となり、ドリル３０の後方外側には二つの対称となる翼片３２を設ける。
【００１２】
前述の各構成要素により組み立てられた本考案は、壁用釘固着装置を提供するものであり、次に実際操作を説明する。
【００１３】
図３に本考案で穴開けする場合の状態図を示す。電動ドライバー工具１を使い締め付けネジ２０を回転させると、ドリル３０によって物品２の予定位置箇所に対応する穴３を平直に開けることができ、同時に本体１０を回転させる。ドリル３０で穴開けする場合は、翼片３２の働きによって削り屑を穴開けした穴３から排出することができる。
【００１４】
図４、図５に、本考案の変形部が膨張した場合と膨張を完了した場合の状態図を示す。本体１０のネジ山部１２が物品２の穴３内に螺入され本体１０の拡大制御エッジ１１が物品２に接触すると、本体１０は更に続けて螺入できなくなる。この時本体１０は固定されて動かなくなるが、締め付けネジ２０の外ネジ山２２は本体１０頭部内径に螺入を続け、この時本体１０の変形部１３が締め付けネジ２０からの引き戻し力を受けて膨張変形を起こし、溝１４の膨張拡大を引き起こす。
【００１５】
本考案の提供する壁用釘固着装置は、板材４０上にも応用することが可能であり、図６に本考案の板材への応用状態図を示す。ドリル３０が板材４０を貫通し変形部１３の膨張が完了した後、ドリル３０は取り外すことができ。
【００１６】
前述した本考案は、壁用釘固着装置を提供するものであり、本考案者は実際製作を完成し操作テストを繰り返した結果、本考案の予期する効果を確実に達成することが証明された。
【図面の簡単な説明】
【００１７】
【図１】本考案の立体分解図である。
【図２】本考案の断面組立図である。
【図３】本考案の穴開け状態図である。
【図４】本考案の変形部膨張時の状態図である。
【図５】本考案の変形部膨張完了時の状態図である。
【図６】本考案の板材への応用状態図である。
【符号の説明】
【００１８】
１  電動ドライバー工具
１０  本体
１１  拡大制御エッジ
１２  ネジ山部
１３  変形部
１４  溝
２  物品
２０  締め付けネジ
２１  駆動溝
２２  外ネジ山
２３  外ネジ溝
２４  定位部
３  穴
３０  ドリル
３１  ネジ孔
３２  翼片
４０  板材
【図１】
0003143011.tif 000003
【図２】
0003143011.tif 000004
【図３】
0003143011.tif 000005
【図４】
0003143011.tif 000006
【図５】
0003143011.tif 000007
【図６】
0003143011.tif 000008